(57)【要約】【課題】  車の内外状態、所在位置を影像で車の所有者に告知する、影像の告知効果を有する車用盗難防止装置を提供する。【解決手段】  自動車の内外の適当な位置に影像を収録することができるカメラが設けられ、該カメラは夫々制御装置と電気接続、該制御装置は、輸入端に盗難の感知用センサーが設けられ、輸出端に音や光の発生可能の警報ユニットが設けられる制御ユニットと、入力端が夫々前記カメラと接続されると共に、前記制御ユニットで制御されることにより、影像を輸出させる影像信号の選択回路と、撮影効果を有する携帯電話であり、その輸入端が前記影像信号の選択回路の輸出端と接続されると共に、前記制御ユニットで制御されることにより、影像を収録すると共に、携帯電話のネットで影像を使用者の携帯電話に伝送する影像伝送ユニットと、を備えることを特徴とする影像の告知効果を有する。【選択図】    図３
2006111085.tif 000002
【特許請求の範囲】
【請求項１】
自動車の内外の適当な位置に影像を収録することができるカメラが設けられ、該カメラは夫々制御装置と電気接続、該制御装置は、輸入端に盗難の感知用センサーが設けられ、輸出端に音や光の発生可能の警報ユニットが設けられる制御ユニットと、
入力端が夫々前記カメラと接続されると共に、前記制御ユニットで制御されることにより、影像を輸出させる影像信号の選択回路と、
撮影効果を有する携帯電話であり、その輸入端が前記影像信号の選択回路の輸出端と接続されると共に、前記制御ユニットで制御されることにより、影像を収録すると共に、携帯電話のネットで影像を使用者の携帯電話に伝送する影像伝送ユニットと、を備えることを特徴とする影像の告知効果を有する車用盗難防止装置。
【請求項２】
前記制御ユニットはマイクロプロセッサーからなることを特徴とする請求項１に記載の影像の告知効果を有する車用盗難防止装置。
【請求項３】
前記影像伝送ユニットは影像処理回路と一般の携帯電話からなることを特徴とする請求項１に記載の影像の告知効果を有する車用盗難防止装置。
【請求項４】
前記センサーは振動式センサー、超音波センサー又は赤外線センサーであることを特徴とする請求項１に記載の影像の告知効果を有する車用盗難防止装置。
【請求項５】
前記影像信号の選択回路は分波器（multiplexer）からなることを特徴とする請求項１に記載の影像の告知効果を有する車用盗難防止装置。
【発明の詳細な説明】
【技術分野】
【０００１】
本発明は、影像の告知効果を有する車用盗難防止装置であり、特に車の警報装置を起動する際、車の内外状態、所在位置を影像で車の所有者に告知する車用盗難防止装置に関するものである。
【背景技術】
【０００２】
自動車は値段が高くの個人財産であるので、盗難を防止するため、一般の自動車に盗難防止装置が設けられている。又、該車用盗難防止装置はよく使用されるものであるので、特に特許又は非特許文献に記載されていない。
【発明の開示】
【発明が解決しようとする課題】
【０００３】
しかしながら、従来の車用盗難防止装置は、音や光だけを発生する警報効果を有し、車の所有者は盗難現場でいない場合、該車用盗難防止装置は効かない場合もある。更に、自動車を盗難した場合、該盗難防止装置は車の所有者に車の所在位置を提供することができないので、盗難した自動車の探しに手伝わない。  
そこで、出願されたのが本発明であって、車の警報装置を起動する際、車の内外状態、所在位置を影像で車の所有者に告知する車用盗難防止装置を提供することを目的としている。
【課題を解決するための手段】
【０００４】
本願の請求項１の発明は、自動車の内外の適当な位置に影像を収録することができるカメラが設けられ、該カメラは夫々制御装置と電気接続、該制御装置は、輸入端に盗難の感知用センサーが設けられ、輸出端に音や光の発生可能の警報ユニットが設けられる制御ユニットと、
入力端が夫々前記カメラと接続されると共に、前記制御ユニットで制御されることにより、影像を輸出させる影像信号の選択回路と、
撮影効果を有する携帯電話であり、その輸入端が前記影像信号の選択回路の輸出端と接続されると共に、前記制御ユニットで制御されることにより、影像を収録すると共に、携帯電話のネットで影像を使用者の携帯電話に伝送する影像伝送ユニットと、を備えることを特徴とする影像の告知効果を有する車用盗難防止装置及び、
本願の請求項２の発明は、前記制御ユニットはマイクロプロセッサーからなることを特徴とする請求項１に記載の影像の告知効果を有する車用盗難防止装置及び、
本願の請求項３の発明は、前記影像伝送ユニットは影像処理回路と一般の携帯電話からなることを特徴とする請求項１に記載の影像の告知効果を有する車用盗難防止装置及び、
本願の請求項４の発明は、前記センサーは振動式センサー、超音波センサー又は赤外線センサーであることを特徴とする請求項１に記載の影像の告知効果を有する車用盗難防止装置及び、
本願の請求項５の発明は、前記影像信号の選択回路は分波器（multiplexer）からなることを特徴とする請求項１に記載の影像の告知効果を有する車用盗難防止装置、を提供する。
【発明の効果】
【０００５】
本発明は上記の課題を解決するものであり、警報ユニットを起動した後、制御ユニットは影像信号の選択回路を起動させてカメラで収録した影像を影像伝送ユニットに伝送し、携帯電話のネットで該影像を使用者の携帯電話に伝送することにより、車の所有者は車の盗賊と車の所在位置の影像を警察に提供し、早めに盗賊の逮捕と愛車の探しだすことができる。
【発明を実施するための最良の形態】
【０００６】
以下、添付図面を参照して本発明の好適な実施の形態を詳細に説明する。
【０００７】
図１は本発明に係る影像の告知効果を有する車用盗難防止装置の第１使用状態を示す平面図であり、図２は本発明に係る影像の告知効果を有する車用盗難防止装置の第２使用状態を示す一部平面図であり、図３は本発明に係る影像の告知効果を有する車用盗難防止装置の第３使用状態を示す斜視図であり、図４は本発明に係る影像の告知効果を有する車用盗難防止装置の第１実施例を示す回路図であり、図５は本発明に係る影像の告知効果を有する車用盗難防止装置の第２実施例を示す回路図である。
【０００８】
図１に示すように、本発明に係わる影像の告知効果を有する車用盗難防止装置は、自動車（１０）の内外の適当な位置にカメラ（１１）〜（１４）が設けられ、車内のカメラ（１１）は運転座の影像を収録することができ、車外のカメラ（１２）（１３）は自動車（１０）の所在位置の影像を収録することができる。又、図２に示すように、自動車の後側にカメラ（１４）が設けられてもよく、又は、自動車に既にあったカメラ（カメラ式バックセンサー）を使用してもよい。
【０００９】
又、図３に示すように、本実施例について、前記カメラ（１１）は車内のバックミラーに隠され、前記カメラ（１２）（１３）は車外のバックミラーに設けられる。
【００１０】
前記カメラ（１１）〜（１４）は夫々制御装置と電気接続される。図４に示すように、本発明の第１実施例について、前記制御装置は、マイクロプロセッサーからなり、その輸入端に盗難の感知用センサー（２１）が設けられ、輸出端に音や光の発生可能の警報ユニット（２２）が設けられ、該センサー（２１）は例えば振動式センサー、超音波センサー、赤外線センサー又は同様な効果を有する他のセンサーであり、該警報ユニット（２２）は音や光、又は両者を同時に発生することができるものである、制御ユニット（２０）と、
入力端が夫々前記カメラ（１１）〜（１４）と接続されると共に、前記制御ユニット（２０）で制御されることにより、影像を輸出させ、例えば分波器（multiplexer）からなる影像信号の選択回路（３０）と、
撮影効果を有する携帯電話であり、その輸入端が前記影像信号の選択回路（３０）の輸出端と接続されると共に、前記制御ユニット（２０）で制御されることにより、影像を収録すると共に、携帯電話のネットで影像を使用者の携帯電話に伝送する影像伝送ユニット（４０）と、を備える。
【００１１】
以下、本発明の作動方式を詳細に説明する。
【００１２】
本発明はスタンバイの場合、制御ユニット（２０）によりセンサー（２１）が感知信号を受けることを判断する。センサー（２１）は異常信号を感知する場合、該制御ユニット（２０）は直ちに警報ユニット（２２）を起動させて音や光、又は両者を同時に発生すると共に、影像信号の選択回路（３０）を起動させてカメラで収録した影像を影像伝送ユニット（４０）に伝送することにより、携帯電話のネットで該影像を使用者の携帯電話に伝送する。これにより、車の所有者は車の盗賊と車の所在位置の影像を警察に提供し、早めに盗賊の逮捕と愛車の探しだすことができる。
【００１３】
又、図5に示すように、本発明の第２実施例は前記第１実施例と殆ど等しく、異なるのは、前記影像伝送ユニット（４０）の代わりに、影像処理回路（４１）と一般の携帯電話（４２）を使用し、該影像処理回路（４１）が影像信号の選択回路（３０）からの影像信号を処理した後、該処理後の影像信号を携帯電話（４２）によって伝送する。
【産業上の利用可能性】
【００１４】
本発明は上記の構造を有するので、警報ユニットを起動した後、制御ユニットは影像信号の選択回路を起動させてカメラで収録した影像を影像伝送ユニットに伝送し、携帯電話のネットで該影像を使用者の携帯電話に伝送することにより、車の所有者は車の盗賊と車の所在位置の影像を警察に提供し、早めに盗賊の逮捕と愛車の探しだすことができる。
【図面の簡単な説明】
【００１５】
【図１】本発明に係る影像の告知効果を有する車用盗難防止装置の第１使用状態をを示す平面図である。
【図２】本発明に係る影像の告知効果を有する車用盗難防止装置の第２使用状態を示す一部平面図である。
【図３】本発明に係る影像の告知効果を有する車用盗難防止装置の第３使用状態を示す斜視図である。
【図４】本発明に係る影像の告知効果を有する車用盗難防止装置の第１実施例を示す回路図である。
【図５】本発明に係る影像の告知効果を有する車用盗難防止装置の第２実施例を示す回路図である。
【符号の説明】
【００１６】
１０        自動車
１１〜１４  カメラ
２０        制御ユニット
２１        センサー
２２        警報ユニット
３０        影像信号の選択回路
４０        影像伝送回路
４１        影像処理回路
４２        携帯電話
【図１】
2006111085.tif 000003
【図２】
2006111085.tif 000004
【図３】
2006111085.tif 000005
【図４】
2006111085.tif 000006
【図５】
2006111085.tif 000007